(57)【要約】【課題】  回線ごとに最適な運用条件が異なる通信回線を介して情報ネットワーク上の端末をコンピュータネットワークに接続する装置の通信回線の設定の変更を、各回線ごとにエンドユーザの要求・指向・環境に応じて、最適かつ動的に行うことのできる動的ネットワーク自動設定サーバ及びシステムを提供する。【解決手段】  情報ネットワーク３０１，３０２上の端末に通信回線１３１，１３２を介して接続された装置１２１，１２２へ管理ネットワーク２００を介して接続され、通信端末１２１，１２２が情報を送受信するための通信回線１３１，１３２の回線設定を、管理ネットワーク２００を介して行う動的ネットワーク自動設定サーバであって、通信回線１３１，１３２の通信パラメータの現在の設定値と実際の通信状態の情報とを装置１２１，１２２から取得する装置データ収集・制御部１９と、通信回線１３１，１３２の通信パラメータの設定値をいずれの値に変更するかを決定し、装置１２１，１２２に設定値を変更させる装置設定制御部１１１とを有する。【選択図】  図１
2005086628.tif 000002
【特許請求の範囲】
【請求項１】
情報ネットワーク上の少なくとも一つの通信端末のそれぞれに通信回線を介して接続された装置へ管理ネットワークを介して接続され、前記通信端末のそれぞれが前記通信回線を介して情報を送受信するための前記通信回線の回線設定を、前記管理ネットワークを介して前記装置に対して行う動的ネットワーク自動設定サーバであって、
前記装置から、前記各通信回線の通信パラメータの現在の設定値と実際の通信状態の情報とを取得する装置情報取得手段と、
前記装置から取得した前記各通信回線の通信パラメータの現在の設定値と通信状態の情報とに基づいて、それぞれの通信端末について、前記通信回線の通信パラメータの設定値をいずれの値に変更するかを決定する通信設定決定手段と、
該通信設定決定手段の出力に応じて、前記装置に、前記各通信回線の通信パラメータの設定値を変更させる設定変更手段とを有することを特徴とする動的ネットワーク自動設定サーバ。
【請求項２】
前記通信パラメータの設定値の組合せを設定値プロファイルとして記憶する設定値プロファイル格納手段をさらに有し、
前記通信設定決定手段は、前記設定値プロファイル格納手段に格納されている設定値プロファイルに基づいて、前記装置から取得した前記各通信回線の通信パラメータの現在の設定値がいずれの設定値プロファイルに該当するかを判断し、
前記装置から取得した実際の通信状態の情報に基づいて前記各通信回線の回線状態を判定し、
該判定の結果と前記装置から取得した前記各通信回線の通信パラメータの現在の設定値に該当する設定値プロファイルとの組合せに基づいて、前記装置に前記各通信回線の通信パラメータの設定値をいずれの値に変更させるかを決定し、
前記設定値プロファイル格納手段に格納されている情報に基づいて、変更しようとする通信パラメータの設定値がいずれの設定値プロファイルに該当するかを判断し、
該変更しようとする通信パラメータの設定値の組合せに該当する設定値プロファイルを前記設定変更手段に通知し、
前記設定変更手段は、前記通信設定決定手段から通知された設定値プロファイルに基づいて、前記装置に前記各通信回線の通信パラメータの設定値を変更させることを特徴とする請求項１記載の動的ネットワーク自動設定サーバ。
【請求項３】
前記装置情報取得手段を作動させる駆動トリガを所定の時刻に発生するタイマをさらに有することを特徴とする請求項１又は２記載の動的ネットワーク自動設定サーバ。
【請求項４】
接続されたクライアントから前記装置に前記各通信回線の通信パラメータの設定値をいずれの値に変更させるかを示す設定変更情報を取得する手段をさらに有し、
前記クライアントから前記設定変更情報を取得した場合には、前記設定変更手段は、前記設定変更情報に基づいて前記装置に前記各通信回線の通信パラメータの設定値を変更させることを特徴とする請求項１から３のいずれか１項記載の動的ネットワーク自動設定サーバ。
【請求項５】
前記通信回線は、ＡＤＳＬ回線であることを特徴とする請求項１から４のいずれか１項記載の動的ネットワーク自動設定サーバ。
【請求項６】
情報ネットワーク上の少なくとも一つの通信端末のそれぞれに通信回線を介して接続された少なくとも一つの装置から、該通信端末のそれぞれが前記通信回線を介して情報を送受信するための前記通信回線の現在の通信パラメータの設定値と実際の通信状態の情報とを取得する管理ネットワーク上の少なくとも一つの装置管理サーバと、該装置管理サーバが前記装置から取得した情報に基づいて、それぞれの装置に対して、前記通信端末が前記通信回線を介して情報を送受信するための前記通信回線の回線設定を行う動的ネットワーク自動設定サーバとを有する動的ネットワーク自動設定システムであって、
前記装置管理サーバのそれぞれは、
前記装置から、前記各通信回線の通信パラメータの現在の設定値と実際の通信状態の情報とを取得する装置情報取得手段と、
該取得した情報を前記動的ネットワーク自動設定サーバに通知する手段と、
前記動的ネットワーク自動設定サーバから通知された情報に基づいて、前記装置に前記各通信回線の通信パラメータの設定値を変更させる設定変更手段とを有し、
前記動的ネットワーク自動設定サーバは、
前記装置管理サーバから通知された前記各通信回線の通信パラメータの現在の設定値と通信状態の情報とに基づいて、それぞれの通信回線について、前記通信回線の通信パラメータの設定値をいずれの値に変更するかを決定する通信設定決定手段と、
該通信設定決定手段が決定した値を前記装置管理サーバへ通知する手段とを有することを特徴とする動的ネットワーク自動設定システム。
【請求項７】
前記動的ネットワーク自動設定サーバは、前記通信パラメータの設定値の組合せを設定値プロファイルとして記憶する設定値プロファイル格納手段をさらに有し、
前記通信設定決定手段は、前記設定値プロファイル格納手段に格納されている設定値プロファイルに基づいて、前記装置管理サーバから通知された各々の通信回線の通信パラメータの現在の設定値がそれぞれいずれの設定値プロファイルに該当するかを判断し、
前記装置管理サーバから通知された各々の通信回線の通信状態の情報に基づいて該通信回線の回線状態を判定し、
該判定の結果と前記装置管理サーバから通知された通信パラメータの設定値に該当する設定値プロファイルとの組合せに基づいて、前記装置に前記各通信回線の通信パラメータの設定値をいずれの値に変更させるかを決定することを特徴とする請求項６記載の動的ネットワーク自動設定システム。
【請求項８】
前記装置管理サーバのそれぞれは、前記装置情報取得手段を作動させる駆動トリガを所定の時刻に発生するタイマをさらに有することを特徴とする請求項６又は７記載の動的ネットワーク自動設定システム。
【請求項９】
前記動的ネットワーク自動設定サーバは、接続されたクライアントから前記装置に前記各通信回線の通信パラメータの設定値をいずれの値に変更させるかを示す設定変更情報を取得する手段をさらに有し、
前記クライアントから前記設定変更情報を取得した場合には、該情報を前記装置管理サーバに通知し、
前記動的ネットワーク自動設定サーバから前記設定変更情報を通知された前記装置管理サーバは、該設定変更情報に基づいて、前記設定変更手段が前記通信端末に前記通信回線の通信パラメータの設定値を変更させることを特徴とする請求項６から８のいずれか１項記載の動的ネットワーク自動設定システム。
【請求項１０】
前記クライアントには、複数の前記管理ネットワーク上に分散して配置された複数の前記動的ネットワーク自動設定サーバが専用回線を介して接続されており、該クライアントは、それぞれの前記動的ネットワーク自動設定サーバに対して前記設定変更情報を送信可能であることを特徴とする請求項９記載の動的ネットワーク自動設定システム。
【請求項１１】
前記クライアントと前記動的ネットワーク自動設定サーバとが同一のＬＡＮ上に配置され、該動的ネットワーク自動設定サーバと前記装置管理サーバのそれぞれとが専用回線を介して接続されたことを特徴とする請求項９記載の動的ネットワーク自動設定システム。
【請求項１２】
前記通信回線は、ＡＤＳＬ回線であることを特徴とする請求項６から１１のいずれか１項記載の動的ネットワーク自動設定システム。
【発明の詳細な説明】
【技術分野】
【０００１】
本発明は、装置に対する通信設定を自動的に行う動的ネットワーク自動設定サーバ及びシステムに関し、特に、管理ネットワーク上の装置から収集した情報に基づいて、装置が情報ネットワーク上で情報を送受信するための通信回線の設定を自動的に行う動的ネットワーク自動設定サーバ及びシステムに関する。
【背景技術】
【０００２】
昨今のブロードバンドネットワークの普及に伴い、エンドユーザの要求・指向・環境に応じてネットワーク運用（情報ネットワーク上の端末をインターネット等のコンピュータネットワークに接続するための通信回線の運用）を変更する必要が生じてきている。例えば、ＡＤＳＬサービスでは、電話回線の線路長やノイズ発生要因などが各エンドユーザごとに異なるため、最適なネットワーク運用も各エンドユーザごとに異なってしまう。
【０００３】
また、ＡＤＳＬサービスでは、悪条件下においては、ＡＤＳＬ回線が不安定状態となり、全く通信できない状況に陥ることもあるため、各回線ごとにその回線の運用状況に応じた設定変更を行う必要がある。
【０００４】
一般に、このようなエンドユーザからの要求に応える場合には、エンドユーザからの要求をコールセンタにおいてオペレータが受け付け、そのオペレータがネットワーク機器の管理システム（ＮＭＳ：Network Management System）から該当するネットワーク機器に対して、エンドユーザの要求や環境に応じた設定を行っていた。
【０００５】
しかし、このようなネットワークの運用方式は、高度な技術や知識を持ったオペレータが多数必要となり、非効率的である。よって、上記のようなオペレータによるワークフローを代替えするシステムの開発が要望されている。
【０００６】
オペレータによるワークフローを代替えするための従来技術として、特許文献１に開示される「ネットワーク自動設定システム」や特許文献２に開示される「ネットワーク管理システム」のように、ネットワークにおける設定を自動的に行うシステムが提案されている。
【０００７】
また、特許文献３に開示される「協調スケジューリング型Ｑｏｓ制御システムおよびその方法」には、クライアントから取得した利用要求条件やサービスサーバから取得したサービスプロパティなどに基づいて、サービスサーバからクライアントへサービスを提供するにあたってのスケジュールをネットワーク管理装置が生成するシステムが開示されている。特許文献３に開示される発明は、サービスプロパティに従って各ノード間でのネットワーク使用を時間的に分割することによって、ネットワーク帯域の利用効率の向上を図るものである。
【特許文献１】特開平１０−９８４８０号公報
【特許文献２】特開２０００−２４４４９５号公報
【特許文献３】特開２００３−６９６３１号公報
【発明の開示】
【発明が解決しようとする課題】
【０００８】
しかし、上記各特許文献１や特許文献２に記載の発明は、
（１）各ノードに固定的な設定を落とすのみであり、ノード内の各回線の動的運用状況に基づいて自動設定することができない。すなわち、システムの物理的な構成に基づいて各回線の設定を変更するものである。
（２）各ノードに落とす設定を物理的な位置や、ノードのＩＰアドレスのような論理的な識別子に基づいて決定しているため、ノードの数が増加すると設定パラメータの組合せ指定が煩雑になってしまう。
といった問題があるため、エンドユーザの要求・指向・環境に応じたネットワーク運用を提供することはできない。
【０００９】
また、特許文献３に記載の発明では、ネットワーク管理装置がクライアントから取得する情報は、サービスサーバからサービスの提供を受ける際のネットワークの利用条件であり、各クライアントに割り当てられた回線状態に関する情報ではない。このため、特許文献３に記載の発明では、エンドユーザの要求や指向に応じた設定を行うことはできるものの、各クライアントの実際の回線状態に応じて動的にネットワークの設定を行うことはできない。
【００１０】
このように、従来は、ＡＤＳＬのように、回線ごとに最適な運用条件が異なる通信回線の場合には、情報ネットワーク上の端末を通信回線を介してインターネットなどのコンピュータネットワークに接続する装置の通信回線の設定の変更を、各回線ごとにエンドユーザの要求・指向・環境に応じて、最適かつ動的に行うことはできなかった。
【００１１】
本発明は係る問題に鑑みてなされたものであり、回線ごとに最適な運用条件が異なる通信回線を介して情報ネットワーク上の端末をコンピュータネットワークに接続する装置の通信回線の設定の変更を、各回線ごとにエンドユーザの要求・指向・環境に応じて、最適かつ動的に行うことのできる動的ネットワーク自動設定サーバ及びシステムを提供することを目的とする。
【課題を解決するための手段】
【００１２】
上記目的を達成するため、本発明は、第１の態様として、情報ネットワーク上の少なくとも一つの通信端末のそれぞれに通信回線を介して接続された装置へ管理ネットワークを介して接続され、通信端末のそれぞれが通信回線を介して情報を送受信するための通信回線の回線設定を、管理ネットワークを介して装置に対して行う動的ネットワーク自動設定サーバであって、装置から、各通信回線の通信パラメータの現在の設定値と実際の通信状態の情報とを取得する装置情報取得手段と、装置から取得した各通信回線の通信パラメータの現在の設定値と通信状態の情報とに基づいて、それぞれの通信端末について、通信回線の通信パラメータの設定値をいずれの値に変更するかを決定する通信設定決定手段と、該通信設定決定手段の出力に応じて、装置に、各通信回線の通信パラメータの設定値を変更させる設定変更手段とを有することを特徴とする動的ネットワーク自動設定サーバを提供するものである。
【００１３】
上記本発明の第１の態様においては、通信パラメータの設定値の組合せを設定値プロファイルとして記憶する設定値プロファイル格納手段をさらに有し、通信設定決定手段は、設定値プロファイル格納手段に格納されている設定値プロファイルに基づいて、装置から取得した各通信回線の通信パラメータの現在の設定値がいずれの設定値プロファイルに該当するかを判断し、装置から取得した実際の通信状態の情報に基づいて各通信回線の回線状態を判定し、該判定の結果と装置から取得した各通信回線の通信パラメータの現在の設定値に該当する設定値プロファイルとの組合せに基づいて、装置に各通信回線の通信パラメータの設定値をいずれの値に変更させるかを決定し、設定値プロファイル格納手段に格納されている情報に基づいて、変更しようとする通信パラメータの設定値がいずれの設定値プロファイルに該当するかを判断し、該変更しようとする通信パラメータの設定値の組合せに該当する設定値プロファイルを設定変更手段に通知し、設定変更手段は、通信設定決定手段から通知された設定値プロファイルに基づいて、装置に各通信回線の通信パラメータの設定値を変更させることが好ましい。
【００１４】
上記本発明の第１の態様のいずれの構成においても、装置情報取得手段を作動させる駆動トリガを所定の時刻に発生するタイマをさらに有することが好ましい。
【００１５】
また、上記本発明の第１の態様のいずれの構成においても、接続されたクライアントから装置に各通信回線の通信パラメータの設定値をいずれの値に変更させるかを示す設定変更情報を取得する手段をさらに有し、クライアントから設定変更情報を取得した場合には、設定変更手段は、設定変更情報に基づいて装置に各通信回線の通信パラメータの設定値を変更させることが好ましい。
【００１６】
また、上記本発明の第１の態様のいずれの構成においても、通信回線は、ＡＤＳＬ回線であることが好ましい。
【００１７】
また、上記目的を達成するため、本発明は、第２の態様として、情報ネットワーク上の少なくとも一つの通信端末のそれぞれに通信回線を介して接続された少なくとも一つの装置から、該通信端末のそれぞれが通信回線を介して情報を送受信するための通信回線の現在の通信パラメータの設定値と実際の通信状態の情報とを取得する管理ネットワーク上の少なくとも一つの装置管理サーバと、該装置管理サーバが装置から取得した情報に基づいて、それぞれの装置に対して、通信端末が通信回線を介して情報を送受信するための通信回線の回線設定を行う動的ネットワーク自動設定サーバとを有する動的ネットワーク自動設定システムであって、装置管理サーバのそれぞれは、装置から、各通信回線の通信パラメータの現在の設定値と実際の通信状態の情報とを取得する装置情報取得手段と、該取得した情報を動的ネットワーク自動設定サーバに通知する手段と、動的ネットワーク自動設定サーバから通知された情報に基づいて、装置に各通信回線の通信パラメータの設定値を変更させる設定変更手段とを有し、動的ネットワーク自動設定サーバは、装置管理サーバから通知された各通信回線の通信パラメータの現在の設定値と通信状態の情報とに基づいて、それぞれの通信回線について、通信回線の通信パラメータの設定値をいずれの値に変更するかを決定する通信設定決定手段と、該通信設定決定手段が決定した値を装置管理サーバへ通知する手段とを有することを特徴とする動的ネットワーク自動設定システムを提供するものである。
【００１８】
上記本発明の第２の態様においては、動的ネットワーク自動設定サーバは、通信パラメータの設定値の組合せを設定値プロファイルとして記憶する設定値プロファイル格納手段をさらに有し、通信設定決定手段は、設定値プロファイル格納手段に格納されている設定値プロファイルに基づいて、装置管理サーバから通知された各々の通信回線の通信パラメータの現在の設定値がそれぞれいずれの設定値プロファイルに該当するかを判断し、装置管理サーバから通知された各々の通信回線の通信状態の情報に基づいて該通信回線の回線状態を判定し、該判定の結果と装置管理サーバから通知された通信パラメータの設定値に該当する設定値プロファイルとの組合せに基づいて、装置に各通信回線の通信パラメータの設定値をいずれの値に変更させるかを決定することが好ましい。
【００１９】
上記本発明の第２の態様のいずれの構成においても、装置管理サーバのそれぞれは、装置情報取得手段を作動させる駆動トリガを所定の時刻に発生するタイマをさらに有することが好ましい。
【００２０】
上記本発明の第２の態様のいずれの構成においても、接続されたクライアントから装置に各通信回線の通信パラメータの設定値をいずれの値に変更させるかを示す設定変更情報を取得する手段をさらに有し、クライアントから設定変更情報を取得した場合には、該情報を装置管理サーバに通知し、動的ネットワーク自動設定サーバから設定変更情報を通知された装置管理サーバは、該設定変更情報に基づいて、設定変更手段が通信端末に通信回線の通信パラメータの設定値を変更させることが好ましい。
【００２１】
上記本発明の第２の態様でクライアントを備える構成においては、クライアントには、複数の管理ネットワーク上に分散して配置された複数の動的ネットワーク自動設定サーバが専用回線を介して接続されており、該クライアントは、それぞれの動的ネットワーク自動設定サーバに対して設定変更情報を送信可能であることが好ましい。このような構成とすれば、拠点分散方式でシステムを構築し、管理ネットワークごとに配置したそれぞれの動的ネットワーク自動設定サーバごとに異なる理論（回線設定のためのロジック）を設定できる。これにより、地域特性に応じたネットワーク運用が可能となる。また、動的ネットワーク自動設定サーバを管理ネットワーク上に配置することにより、動的ネットワーク自動設定サーバと装置管理サーバとを専用回線で接続する必要が無くなる。さらに、各動的ネットワーク自動設定サーバは、自身が所属する管理ネットワークに接続されている装置と接続されている情報ネットワーク上の通信端末のみを管理すればよいため、システムに所属する通信端末の数を増加させることが可能となる。
【００２２】
又は、上記本発明の第２の態様でクライアントを備える構成においては、クライアントと動的ネットワーク自動設定サーバとが同一のＬＡＮ上に配置され、該動的ネットワーク自動設定サーバと装置管理サーバのそれぞれとが専用回線を介して接続されることが好ましい。このような構成とすれば、センタ集中方式でシステムを構築できるため、システムの保守管理が容易となる。また、クライアントと動的ネットワーク自動設定サーバとを専用回線で接続する必要がない。
【００２３】
また、上記本発明の第２の態様のいずれの構成においても、通信回線は、ＡＤＳＬ回線であることが好ましい。
【発明の効果】
【００２４】
本発明によれば、回線ごとに最適な運用条件が異なる通信回線を介して情報ネットワーク上の端末をコンピュータネットワークに接続する装置の通信回線の設定の変更を、各回線ごとにエンドユーザの要求・指向・環境に応じて、最適かつ動的に行うことのできる動的ネットワーク自動設定サーバ及びシステムを提供できる。
【発明を実施するための最良の形態】
【００２５】
〔発明の原理〕
本発明の特徴は、情報ネットワーク上の端末をコンピュータネットワークに接続する装置に対する自動設定システムにおいて、装置の運用状況に応じて動的に適切な設定値を選択・設定できるようにしたことである。
【００２６】
図１において、動的ネットワーク自動設定サーバ１１では、装置データ収集・制御部１９が装置インタフェース１１０ａ，１１０ｂを介して装置（ノード）１２１，１２２から収集した装置収集データ１４を、サーバの動作を決定するための各種の特徴的な論理データ（回線状態判定用データ１５、設定値プロファイル１６、設定値プロファイル遷移用データ１７）に記載されている内容に従って回線状態の判定（情報ネットワーク３００上の端末が通信回線１３１，１３２及び装置１２１，１２２を介して行う通信の安定性、ビットレートの判定など）を行い、それを基に装置設定・制御部１１１が次に変更すべき設定値群の割り出しを行い、装置インタフェース１１０ａ,１１０ｂを介して装置１２１，１２２にそれぞれ割り当てられている通信回線１３１，１３２の運用状況に応じた動的設定を実現する。
【００２７】
また、本発明においては、動的ネットワーク自動設定サーバ１１は、各種の論理データ（回線状況判定用データ１５、設定値プロファイル用データ１６、設定値プロファイル遷移用データ１７）に基づいて動作するが、これらの論理データは、テーブル構造のデータ形式で取り扱われるため、その構成は柔軟であり、データ登録部１１２によるデータの入れ替えを容易に行える。このため、運用ノウハウの蓄積に伴ってシステムの動作変更を実施したい場合や新たな回線技術の導入に伴って装置の設定・状態パラメータが追加された場合にも容易に対応可能である。
【００２８】
さらには、装置１２１，１２２に対する設定は、装置１２１，１２２のアドレスなどの物理的な要素によって決定されるのではなく、装置収集データ１４に対して回線状態判定用データ１５を用いて算出される回線状態を基に決定される。よって、システム管理下の装置数（回線数）が増加しても、論理データ（回線状態判定用データ１５、設定値プロファイルデータ１６、設定値プロファイル遷移用データ１７）の内容がそれに伴って増加したり、複雑になったりすることはない。
【００２９】
〔作用〕
上記構成を備えることにより、本発明は、
（１）情報ネットワーク上の端末が情報を送受信するために各ノードに割り当てられている通信回線について、その通信回線に固有の運用状況やその通信回線を利用するエンドユーザの要求・指向に応じて、動的に自動設定を行うことが可能。
（２）ノード数が増加しても、各ノードに割り当てられた通信回線に適用すべき設定の記述（ロジックの記述）が増加することはなく、自動設定を簡潔に行うことが可能。
（３）各ノードに割り当てられた通信回線に適用すべき設定の記述（ロジックの記述）を容易に変更することが可能。
という作用を奏する。
【００３０】
以下、上記の特徴を備えた動的ネットワーク自動設定システムの好適な実施形態について説明する。
【００３１】
〔第１の実施形態〕
図１に、本発明を好適に実施した第１の実施形態に係る動的ネットワーク自動設定システムの構成を示す。このシステムは、動的ネットワーク自動設定サーバ１１と、通信回線１３１，１３２を介して情報ネットワーク３０１，３０２をインターネット４００などのコンピュータネットワークへ接続する装置１２１及び１２２とが管理ネットワーク２００を介して接続された構成である。なお、管理ネットワーク２００は、ＳＮＭＰなどによりサーバ間でデータの送受信を行うためのネットワークであり、具体例としてはEthernet（Ｒ）やATM方式のネットワークである。一方、情報ネットワーク３０１，３０２は、エンドユーザがデータを送受信するネットワークである。具体的には、図２に示すように、各エンドユーザが所有する端末や企業内ＬＡＮなどからなるネットワークである。また、通信回線１３１，１３２は、回線ごとに最適な運用条件が異なる回線であり、具体例としてＡＤＳＬをあげることができる。装置１２１，１２２とインターネット４００とは通信回線１３１，１３２よりも伝送速度が高速の回線（通信回線１３１，１３２がＡＤＳＬ回線であれば光ファイバなど）である。
【００３２】
動的ネットワーク自動設定サーバ１１は、装置１２１，１２２から装置収集データ１４を収集し、その内容に基づいて装置１２１，１２２に割り当てられた通信回線１３１，１３２の自動設定を動的に実施するサーバである。装置１２１，１２２は、動的ネットワーク自動設定サーバ１１が設定を変更する対象であるとともに、通信回線１３１，１３２の設定データや状態データを動的ネットワーク自動設定サーバ１１に提供する。設定データや状態データの例を挙げると、通信回線１３１，１３２の最大伝送速度が設定データであり、実際の伝送速度が状態データである。設定データ及び状態データとしては伝送速度の他に、回線帯域、ノイズマージン、ＡＤＳＬ規格、ビットマップなどがあげられる。
なお、装置１２１と装置１２２とは、別機種の装置である（換言すると、自動設定のための論理データが共通ではない）ものとする。
【００３３】
動的ネットワーク自動設定サーバ１１は、システムプログラム１３、装置収集データ１４、回線状態判定用データ１５、設定値プロファイル用データ１６、設定値プロファイル遷移用データ１７を有する。
システムプログラム１３は、サーバ全体の動作を制御する。装置収集データ１４は、管理ネットワーク２００を介して装置１２１，１２２から定期的に収集したデータである。回線状態判定用データ１５は、装置１２１，１２２に割り当てられた通信回線１３１，１３２の状態判定を実施するために使用するデータである。設定値プロファイルデータ１６は、装置１２１，１２２に割り当てられた通信回線に対する設定値群を定義するためのデータである。設定値プロファイル遷移用データ１７は、各通信回線の回線状態判定結果に基づいて次に変更する設定値プロファイルの遷移を定義するためのデータである。
【００３４】
システムプログラム１３は、タイマ制御部１８、装置データ収集・制御部１９、装置設定・制御部１１１、データ登録部１１２を有する。
タイマ制御部１８は、システムの動作トリガを与える。装置データ収集・制御部１９は、タイマ制御部１８からの通知（動作トリガ）を受けて、各装置から装置インタフェース１１０ａ，１１０ｂを介してデータ（設定データ＋状態データ）を収集し、設定値プロファイル用データ１６を用いて設定値群を該当する設定値プロファイル名にデータ変換を実施した上で、装置収集データ１４としてデータを保持する。また、装置データ収集・制御部１９は、回線状態判定用データ１５を用いて、収集した装置収集データ１４に対して回線状態判定を実施し、その結果も合わせて装置収集データ１４に書き込む。装置設定・制御部１１１は、装置データ収集・制御部１９から通知を受け、装置収集データ１４と設定値プロファイル遷移用データ１７から各回線に次に割り当てるべき設定値プロファイルを計算する。その後、装置設定・制御部１１１は、設定値プロファイル用データ１６を用いて、新たに割り当てる設定値プロファイルに属するパラメータセットの値を得て、そのパラメータセットを用いて装置インタフェース１１０ａ，１１０ｂを介して各装置１２１，１２２への設定を実施する。データ登録部１１２は、システムの動作に必要な回線状態判定用データ１５、設定値プロファイル用データ１６、設定値プロファイル遷移用データ１７の各種データをシステムに投入するためのユーザインタフェースである。例えば、管理ネットワーク２００を介してシステムにデータを投入するのであれば、ｗｗｗブラウザからのアクセスに対応するＷｅｂベースのユーザインタフェースが適用される。また、動的ネットワーク自動設定サーバ１１に直接コマンド入力するのであれば、キーボード等の入力装置を備えたユーザインタフェースが適用される。
【００３５】
なお、装置機種別のインタフェースの違いは、システムプログラム１３が装置インタフェース１１０を複数備え、装置インタフェース１１０ａは装置１２１のデータを収集し、装置インタフェース１１０ｂは装置１２２のデータを収集するというように、各機種ごとにそれに適応した装置インタフェース１１０ａ，１１０ｂ・・・を用いることによって吸収することが可能である。
【００３６】
図３に、装置収集データ１４のデータ構造の一例を示す。装置収集データ１４は、回線識別子１４１、設定値プロファイル名１４２、状態値群１４３及び回線状態１４４を有するデータである。
回線識別子１４１は、各装置に割り当てられている各通信回線を一意に識別可能とする識別子である。設定値プロファイル１４２名は、各通信回線の現在の設定値群を表す名称を示す。状態値群１４３は、各通信回線の運用状態を示す各種パラメータの集まりである。回線状態１４４は、各装置に割り当てられた通信回線の状態であり、状態値群１４３内のパラメータ値に基づいて判定される。
【００３７】
装置収集データ１４において、回線状態１４４だけは他の項目とは性格が異なり、装置１２１，１２２から実際に収集された値ではなく、収集した状態値群１４３に基づいて、回線状態判定用データ１５を用いて回線状態判定を実施した結果を書き込むためのフィールドである。
【００３８】
図４に、回線状態判定用データ１５のデータ構造の一例を示す。回線状態判定用データ１５は、回線状態名１５１及び条件指定１５２を有するデータである。ここで、条件指定１５２の数は、各回線状態ごとに少なくとも一つの不特定多数（１５２ａ，１５２ｂ、１５２ｃ、１５２ｄ・・・・）である。
【００３９】
回線状態名１５１は、各装置に割り当てられた各通信回線の状態を示す名称である。通信回線の状態は、条件指定の組合せによって定義される。より詳しくは、各条件指定の論理演算（ＡＮＤ）をとることによって定義される。図４においては、
α：（Ａ≧１０）ａｎｄ（Ｂ≠０）
β：（Ａ≧１０）ａｎｄ（Ｂ＝０）
γ：（Ａ＜１０）ａｎｄ（Ｃ≧６５４００）ａｎｄ（Ｄ＜１５００）
δ：（Ａ＜１０）ａｎｄ（Ｃ≧６５４００）ａｎｄ（Ｄ≧１５００）ａｎｄ（Ｄ＜３００）
のように、それぞれ定義される。なお、ここで条件指定として使用されるパラメータＡ，Ｂ，Ｃ，Ｄは、図３に示した装置収集データ１４の中のパラメータＡ，Ｂ，Ｃ，Ｄ，・・・と同じものであり、上記の条件指定の組合せを満たす通信回線の回線状態が回線状態名１５１のα，β，γ，δとして決定される。
【００４０】
図５に、設定値プロファイル用データ１６のデータ構造の一例を示す。設定値プロファイル用データ１６は、設定値プロファイル名１６１及び少なくとも一つのパラメータ値（Ｘ1（１６２ａ），Ｘ2（１６２ｂ），Ｘ3（１６２ｃ），Ｘ4（１６２ｄ），・・・）を有するデータである。
設定値プロファイル名１６１は、そのレコードの設定値プロファイルの名称を示す。パラメータ１６２は、その組合せにより設定値プロファイルを特定するための因子である。
【００４１】
図５に示した設定値プロファイル用データ１６においては、各設定値プロファイルの定義は以下のようになる。
・profile_１は、Ｘ1＝１０，Ｘ2＝１２３０，Ｘ3＝０，Ｘ4＝２１０の設定値の組合せとして定義される。
・profile_２は、Ｘ1＝１５，Ｘ2＝１５２０，Ｘ3＝０，Ｘ4＝２００の設定値の組合せとして定義される。
・profile_３は、Ｘ1＝２０，Ｘ2＝１８６０，Ｘ3＝０，Ｘ4＝２５０の設定値の組合せとして定義される。
・profile_４は、Ｘ1＝２５，Ｘ2＝２１１０，Ｘ3＝０，Ｘ4＝２００の設定値の組合せとして定義される。
【００４２】
図６に、設定値プロファイル遷移用データ１７のデータ構造の一例を示す。設定値プロファイル遷移用データ１７は、遷移元設定値プロファイル名１７１、回線状態１７２、遷移先設定値プロファイル名１７３を有するデータである。
遷移元設定値プロファイル名１７１は、遷移前の設定値プロファイルの名称を示す。回線状態１７２は、遷移前の設定値プロファイルからの遷移条件を示す。遷移先設定値プロファイル名１７３は、条件に当てはまった場合の遷移先を示す。
【００４３】
図６において示した設定値プロファイル遷移用データ１７は、次のように解釈される。
・設定値プロファイル名がprofile_１で回線状態がαである通信回線には、次に設定値プロファイルprofile_２を割り当てる。
・設定値プロファイル名がprofile_１で回線状態がβである通信回線には、次に設定値プロファイルprofile_３を割り当てる。
・設定値プロファイル名がprofile_１で回線状態がγである通信回線には、次に設定値プロファイルprofile_４を割り当てる。
・設定値プロファイル名がprofile_２で回線状態がαである通信回線には、次に設定値プロファイルprofile_５を割り当てる。
【００４４】
なお、ここで、回線状態１７２は、図４に示した回線状態判定用データ１５において回線状態名１５１として定義される値（α，β，γ，δ，・・・）の中のいずれかになる。また、遷移元設定値プロファイル名１７１及び遷移先設定値プロファイル名１７３は、図５において設定値プロファイル用データ１６内の設定値プロファイル名１６１として定義される値（profile_１，profile_２，profile_３，profile_４，・・・）の中のいずれかになる。
【００４５】
次に、動的ネットワーク自動設定システムの動作について説明する。動的ネットワーク自動設定サーバ１１には、定常動作を行うのに先だって、データ登録部１１２によって回線状態判定用データ１５、設定値プロファイル用データ１６、設定値プロファイル遷移用データ１７が登録されている。データ登録部１１２は、ＷＷＷブラウザからのアクセスによる登録や、サーバ上でのコマンド入力による登録など、一般的な実装方法により実現されるものである。
【００４６】
図７に、動的ネットワーク自動設定サーバの定常動作の流れを示す。また、図８に、動的ネットワーク自動設定サーバの定常動作における装置収集データの変化の仕方を示す。また、図９に、動的ネットワーク自動設定サーバの定常動作における回線設定データの生成の仕方を示す。これらの図を用いて、動的ネットワーク自動設定システムの動作の流れについて説明する。
動的ネットワーク自動設定サーバ１１は、システムの動作が開始されると、タイマ制御部１８が処理開始時間であるか否かを判断する（ステップＳ１０１）。処理開始時間である場合（ステップＳ１０１／Ｙｅｓ）、タイマ制御部１８は、装置データ収集・制御部１９に処理の開始を通知する。
【００４７】
装置データ収集・制御部１９は、タイマ制御部１８から処理の開始を通知されると、装置インタフェース１１０ａ及び１１０ｂを介して装置１２１，１２２が装置内に保持する装置内設定データ・状態データ７１の収集を行う。このデータは、図８に示すように、回線識別子と設定値群と状態値群との組合せとして表される。
【００４８】
装置収集データ・制御部１９では、装置内設定データを設定値プロファイルデータ１６と比較し、一致する設定値プロファイル名１６１を検索する。そして装置収集データ・制御部１９は、装置内設定データを設定値プロファイルデータ１６において設定値群が一致するプロファイル名に変換する。例えば、装置内設定データが、Ｘ1＝１０，Ｘ2＝１２３０，Ｘ3＝０，Ｘ4＝２１０・・・という設定値群であるとすると、図５に示す設定値プロファイルデータ１６においてはProfile_１と一致するため、装置収集データ・制御部１９は、この装置内設定データをprofile_１に変換する。
装置収集データ・制御部１９は、このようにして生成したデータ７２を装置収集データ１４として保持する（ステップＳ１０２）。なお、この段階では、装置収集データ１４の回線状態のフィールドは空となる。
【００４９】
次に、装置データ収集・制御部１９では、回線状態判定用データ１５を読み出し、その回線状態の定義に従って、装置収集データ１４から、各回線状態の条件に該当する通信回線を取り出し、それらの通信回線のレコードに対して該当する回線状態値を、装置収集データ１４の回線状態フィールドに書き込む（ステップＳ１０３）。例えば、Ａ＝１０，Ｂ＝６１３，Ｃ＝１２５６６，Ｄ＝０，・・・という状態値群は、図４に示した回線状態判定用データにおいては、回線状態αに該当するため、装置データ収集・制御部１９は、装置収集データの回線状態のフィールドに“α”を書き込む。このようにして、回線状態が書き込まれたデータ７３が装置収集データ１４として動的ネットワーク自動設定サーバ１１内に保持される。
【００５０】
次に、装置データ収集・制御部１９は、装置設定・制御部１１１に設定実施を通知する。装置設定・制御部１１１は、この通知を受け取ると、装置収集データ１４における設定値プロファイル名１４２と回線状態１４４との組合せと、設定値プロファイル遷移用データ１７における遷移元設定値プロファイル名１７１と回線状態１７３との組合せを一致検索することにより（換言すると、図９において●印を付したフィールド同士及び○印を付したフィールド同士を比較し、一致する組合せを検出することにより）、設定変更対象の通信回線の検索を実施する（ステップＳ１０４）。この結果、設定変更対象回線と、それに対して次に設定する設定値プロファイル名を表すデータ８１を得る。例えば、装置収集データ１４において設定値プロファイル名１４２が“profile_１”で回線状態１４４が“α”である通信回線については、設定値プロファイル遷移用データ１７において遷移元プロファイル名１７１が“profile_１”で回線状態１７３が“α”という組合せを参照して、次に設定すべき設定値プロファイル名を“profile_２”と判断する。
【００５１】
なお、ステップＳ１０４において、一致するレコードが無い通信回線については、設定変更対象外の回線と見なし、処理を終了する。
【００５２】
さらに、装置設定・制御部１１１では、データ８１を基に、設定値プロファイル用データ１６を用いて、設定変更対象回線に割り当てる設定値群（Ｘ1（１６２ａ），Ｘ2（１６２ｂ），Ｘ3（１６２ｃ），Ｘ4（１６２ｄ），・・・）を計算する。例えば、図５に示した設定値プロファイル用データ１６において、profile_２に該当する設定値群はＸ1＝１５，Ｘ2＝１５２０，Ｘ3＝０，Ｘ4＝２００，・・・であるため、装置設定・制御部１１１は、これらの値を遷移先設定値プロファイル名がprofile_２である通信回線の設定値として取得し、設定用データ８２を得る。
装置設定・制御部１１１では、設定用データ８２を用いて各装置に対して装置インタフェース１１０ａ，１１０ｂを介して設定を実行する（ステップＳ１０５）。
【００５３】
このように本実施形態に係る動的ネットワーク自動設定システムによれば、以下に示すような効果が得られる。
【００５４】
（１）各装置から管理ネットワークを介して収集した装置収集データを基に、各装置が情報ネットワーク上の端末をコンピュータネットワークに接続するための通信回線の回線状態判定を実施し、各通信回線に適切な設定値プロファイルを割り当て、設定値群を決定するため、各通信回線の運用状況に合わせて動的に自動設定を行える。
（２）回線状態判定及び設定値プロファイルの割り当ての際に使用する論理データの構成が柔軟であり、且つその変更が容易であるため、新たな運用ノウハウをシステムに適用する場合や、回線側で新たな技術が導入され設定・状態パラメータが変更されたとしても、データ登録部によって論理データを入れ替えるのみでシステムの動作を変更できる。
（３）回線状態判定用データ及び設定値プロファイル遷移用データは、通信回線の運用状態に基づいて、変更する設定値プロファイルの選択を実施するため、管理する装置数が増加しても論理データが増加したり、複雑になったりすることはない。
（４）回線状態判定を実施する装置データ収集・制御部や設定値プロファイルの遷移を計算する装置設定・制御部が装置インタフェースと独立になっているため、異機種の装置（他のベンダーの装置）を監視下に加える場合には、システムプログラムに装置インタフェース部分のみを追加するだけで良い。
【００５５】
〔第２の実施形態〕
本発明の第１の実施形態に係る動的ネットワーク自動設定サーバ内のモジュール構成は、単一の装置内に実装する構成に限定されるものではない。例えば、管理下の装置数が増えた場合には、装置インタフェースの部分を動的ネットワーク自動設定サーバとは別個の構成としてシステムを構成した方が好ましい場合もある。
本発明を好適に実施した第２の実施形態として、装置インタフェース部分を別個の構成とした例について説明する。
【００５６】
図１０に、本実施形態に係る動的ネットワーク自動設定システムの構成を示す。このシステムは、動的ネットワーク自動設定サーバ１１と装置管理サーバ９１ａ，９１ｂとが、管理ネットワーク２００を介して接続されており、装置管理サーバ９１ａ，９１ｂに装置１２１ａ〜ｎ，１２２ａ〜ｎがそれぞれ接続されている。装置１２１ａ〜ｎは、通信回線１３１ａ〜ｎを介して情報ネットワーク３０１ａ〜ｎをインターネット４００に接続しており、装置１２２ａ〜ｎは、通信回線１３２ａ〜ｎを介して情報ネットワーク３０２ａ〜をインターネット４００に接続している。
【００５７】
動的ネットワーク自動設定サーバ１１は、第１の実施形態のものとほぼ同様であるが、装置インタフェース１１０ａ，１１０ｂの代わりに装置管理サーバインタフェース９８ａ，９８ｂを備える。
【００５８】
装置管理サーバ９１ａは、装置収集データ９２ａ、タイマ制御部９３ａ、動作制御部９４ａ、装置インタフェース９５ａ及び動的自動設定サーバインタフェース９６ａを有する。
タイマ制御部９３ａは、管理下の装置（装置１２１ａ〜ｎ）からの装置データ収集のトリガを発生させる。動作制御部９４ａは、タイマ制御部９３ａの生成したトリガを得て、装置収集データ９２ａを装置インタフェース９５ａを介して収集する。動的自動設定サーバインタフェース９６ａは、動的ネットワーク自動設定サーバ１１からの要求に応じて、装置収集データ９２ａを送付する。
なお、装置管理サーバ９１ｂについても同様である。
【００５９】
装置１２１ａ〜ｎ，１２２ａ〜ｎに対する設定は、次のような手順で行われる。装置管理サーバ９１ａ内の動的自動設定サーバインタフェース９６ａは、装置管理サーバインタフェース９８ａを介して動的ネットワーク自動設定サーバ１１から送られてきた要求を受け取ると、その要求を動作制御部９４ａに受け渡す。動作制御部９４ａは、装置インタフェース９５ａを介して、情報ネットワーク３０１ａ〜ｎ上の端末が通信回線１３１ａ〜ｎ及び装置１２１ａ〜ｎを介してインターネット４００上で情報を送受信するための通信回線１３１ａ〜ｎの設定を実施する。なお、装置管理サーバ９１ｂが装置１２２ａ〜ｎに対して行う設定もこれと同様である。
【００６０】
本実施形態においては、第１の実施形態では単一の装置（動的ネットワーク自動設定サーバ１１）に実装していた機能モジュールの一部をサーバマシン（装置管理サーバ９１ａ，９１ｂ）に分けて実装し、分散サーバ構成としている。
このような構成とすることにより、システムの管理下に新しい機種の装置を加える場合には、その装置に応じた装置管理サーバを追加すれば良くなり、動的ネットワーク自動設定サーバ１１の構成を変更する必要が無くなる。これにより、システムの管理が容易となる。
【００６１】
〔第３の実施形態〕
図１１に、本発明を好適に実施した第３の実施形態に係る動的ネットワーク自動設定システムの構成を示す。このシステムは、オペレータ用クライアント１００をさらに有する他は、第２の実施形態に係る動的ネットワーク自動設定システムとほぼ同様である。
オペレータ用クライアント１００は、クライアント表示・制御部１０１及び動的自動設定サーバインタフェース１０２を有する。クライアント表示・制御部１０１は、クライアント画面の表示・設定・表示データの制御を司る。動的自動設定サーバインタフェース１０２は、動的自動設定サーバ１１との間でデータを送受信するためのインタフェースである。
【００６２】
本実施形態においては、動的ネットワーク自動設定サーバ１１は、クライアントインタフェース１０３をさらに有する。クライアントインタフェース１０３は、オペレータ用クライアント１００経由で任意の装置に割り当てられている通信回線の装置収集データの表示や、設定値変更を実施する場合に設定値プロファイル用データとの比較を行う。
【００６３】
本実施形態に係る動的ネットワーク自動設定システムにおいては、動的ネットワークの自動設定とオペレータ用クライアント１００の操作者（すなわち、オペレータ）によるマニュアル設定とを共存させることができる。例えば、動的ネットワーク自動設定サーバ１１のタイマ制御部１８が夜間にのみトリガを生成するように設定しておき、昼間の時間帯にはオペレータよるコールセンタ業務を行うようにすれば、動的ネットワーク自動設定サーバ１１による自動設定と、オペレータによるマニュアル設定とが競合することなく共存させることが可能である。
【００６４】
次に、システムの構成例について説明する。本システムを実際に構築する場合には、図１２に示すような拠点分散方式と図１３に示すようなセンタ集中配置方式とが考えられる。
【００６５】
拠点分散方式では、カスタマサポートセンタ１１０１にオペレータ用クライアント１１０２を配置し、地域拠点１１０４ａ，１１０４ｂ，・・・に動的ネットワーク自動設定サーバ１１０５及び装置管理サーバ１１０６を配置し、装置管理サーバ１１０６の配下の装置を管理する。
【００６６】
本システムを拠点分散方式で構築する場合には、
・各地域拠点の動的ネットワーク自動設定サーバで異なる理論を設定することができるため、地域特性（例えば、ＡＤＳＬの場合には、局舎とエンドユーザとが密接している都市部と、局舎数の少ない郊外とでは、局舎とエンドユーザの間の線路長に差があるため、ネットワーク運用上、最適な設定値は異なる。）に応じた運用が可能。
・動的ネットワーク自動設定サーバと装置管理サーバとの間をＬＡＮで接続できるため、専用の通信回線が不要。
・動的ネットワーク自動設定サーバの負荷を分散可能。
という長所がある。
【００６７】
一方、センタ集中配置方式では、カスタマサポートセンタ１２０１にオペレータ用クライアント１２０２、及び動的ネットワーク自動設定サーバ１２０５を配置し、各地域拠点１２０４ａ，１２０４ｂ，・・・には、装置管理サーバ１２０６ａ，１２０６ｂ，・・・を配置し、装置管理サーバ１２０６ａ，１２０６ｂ，・・・の配下の装置を管理する。
【００６８】
本システムをセンタ集中方式で構築する場合には、
・動的ネットワーク自動設定サーバをカスタマサポートセンタに集中配置するため、システムの管理・保守が容易。
・オペレータ用クライアントと動的ネットワーク自動設定サーバとの間をＬＡＮで接続できるため、専用の通信回線が不要。
という長所がある。
【００６９】
なお、上記各実施形態は、本発明の好適な実施の一例であり、本発明はこれらに限定されることはない。
例えば、上記各実施形態においては、動的ネットワーク自動設定サーバや装置管理サーバの配下に二種類の装置が存在する場合を例に説明を行ったが、さらに多くの機種を管理下に置くことも可能である。
このように、本発明は様々な変形が可能である。
【図面の簡単な説明】
【００７０】
【図１】本発明を好適に実施した第１の実施形態に係る動的ネットワーク自動設定システムの構成を示す図である。
【図２】情報ネットワークの一例を示す図である。
【図３】装置収集データのデータ構造例を示す図である。
【図４】回線状態判定用データのデータ構造例を示す図である。
【図５】設定値プロフィールデータのデータ構造例を示す図である。
【図６】設定値プロフィール遷移用データのデータ構造例を示す図である。
【図７】第１の実施形態にかかる動的ネットワーク自動設定システムの動作の流れを示すフローチャートである。
【図８】装置から収集した装置設定値データ及び状態データに基づいて装置収集データを生成する処理を示す図である。
【図９】装置収集データに基づいて次に設定する設定値群を決定する処理を示す図である。
【図１０】本発明を好適に実施した第２の実施形態に係る動的ネットワーク自動設定システムの構成を示す図である。
【図１１】本発明を好適に実施した第３の実施形態に係る動的ネットワーク自動設定システムの構成を示す図である。
【図１２】第３の実施形態に係る動的ネットワーク自動設定システムを分散拠点方式で構築した状態を示す図である。
【図１３】第３の実施形態に係る動的ネットワーク自動設定システムをセンタ集中配置方式で構築した状態を示す図である。
【符号の説明】
【００７１】
１１、１１０５ａ、１１０５ｂ、１２０５    動的ネットワーク自動設定サーバ
１３    システムプログラム
１４、９２ａ、９２ｂ    装置収集データ
１５    回線状態判定用データ
１６    設定値プロファイル用データ
１７    設定値プロファイル遷移用データ
１８、９３ａ、９３ｂ    タイマ制御部
１９    装置データ・収集制御部
７１    装置内設定データ・状態データ
７２、７３、８１、８２    データ
９１ａ、９１ｂ、１１０６ａ、１１０６Ａ、１１０６ｂ、１１０６Ｂ、１２０６ａ、１２０６ｂ、１２０６ｃ、１２０６ｄ    装置管理サーバ
９４ａ、９４ｂ    動作制御部
９５ａ、９５ｂ、１１０ａ、１１０ｂ    装置インタフェース
９６ａ、９６ｂ、１０１    動的自動設定サーバインタフェース
９８ａ、９８ｂ    装置管理サーバインタフェース
１００、１１０２、１２０２ａ、１２０２ｂ    オペレータ用クライアント
１０２    クライアント表示制御部
１１１    装置設定・制御部
１１２    データ登録部
１２１、１２２    装置
１３１、１３２    通信回線
１４１    回線識別子
１４２、１６１    設定値プロファイル名
１４３    状態値群
１４４、１７２    回線状態
１５１    回線状態名
１５２ａ    条件指定１
１５２ｂ    条件指定２
１５２ｃ    条件指定３
１５２ｄ    条件指定４
１６２ａ、１６２ｂ、１６２ｃ、１６２ｄ    パラメータ
１７１    遷移元設定値プロファイル名
１７３    遷移先設定値プロファイル名
２００    管理ネットワーク
３０１、３０２    情報ネットワーク
４００    インターネット
１１０１、１２０１    カスタマサポートセンタ
１１０４ａ、１１０４ｂ、１２０４ａ、１２０４ｂ    地域拠点
【図１】
2005086628.tif 000003
【図２】
2005086628.tif 000004
【図３】
2005086628.tif 000005
【図４】
2005086628.tif 000006
【図５】
2005086628.tif 000007
【図６】
2005086628.tif 000008
【図７】
2005086628.tif 000009
【図８】
2005086628.tif 000010
【図９】
2005086628.tif 000011
【図１０】
2005086628.tif 000012
【図１１】
2005086628.tif 000013
【図１２】
2005086628.tif 000014
【図１３】
2005086628.tif 000015